(57)【要約】【課題】初心者にも打ち易くしたゲーム用打球具を提供する。【解決手段】ヘッド部９に対して傾斜自在のシャフト部２を設けるとともに、ヘッド部９の安定性及び接地面への密着性を良くするためにヘッド部９に錘８を埋め込んだ構成とする。この構成により例えばヘッド部９が丸型チップ状のものであれば、この丸型チップ状ヘッド部９が地面、ゲーム盤面等に密着した状態になるようにシャフト部２を、プレーヤの身長、体重、筋力等プレーヤの条件や好みに応じて傾斜させてゲーム用ボール等を容易にかつより遠方に飛ばすように打つことができる。【選択図】図２
0003122996.tif 000002
【実用新案登録請求の範囲】
【請求項１】
ヘッド部と、このヘッド部に埋め込まれた錘と、このヘッド部に対して固定手段を有することなく傾斜自在に取り付けたシャフト部とを有することを特徴とするゲーム用打球具。
【請求項２】
前記ヘッド部が丸型チップ状に形成されていることを特徴とする請求項１に記載のゲーム用打球具。
【請求項３】
前記ヘッド部が球状に形成されていることを特徴とする請求項１に記載のゲーム用打球具。
【請求項４】
中心部に凹所を形成した丸型チップ状ヘッド部と、このヘッド部の凹所底部に埋め込んだ錘と、該凹所内に嵌入させたＵ字状軸受け部材と、この軸受け部材に枢軸を介して枢着されたジョイント部材と、このジョイント部材に固定されたシャフト部とを有することを特徴とするゲーム用打球具。
【請求項５】
中心部に凹所を形成した球状ヘッド部と、このヘッド部の凹所底部に埋め込んだ錘と、該凹所内に嵌入させた保持部材と、この保持部材に回動自在に保持され球体と、この球体に一端が固定され、その他端が前記保持部材の上部開口から導出されたシャフト部とを有することを特徴とするゲーム用打球具。
【考案の詳細な説明】
【技術分野】
【０００１】  本考案は、例えばゲートボールのようなゲームに使用するゲーム用打球具に関するものである。
【背景技術】
【０００２】  従来、ゲーム用ボール、円盤等を打球するゲートボールのようなゲームにはヘッド部に固定されたシャフト部を有するゲーム用ステック又はゲーム用クラブ（以下、これらを総称してゲーム用打球具という。）が使用されている。
例えば、実開平６−８６７６１号（以下、特許文献１という。）には、ボールを打ち易くしたゲートボール用ステックが開示されている。【０００３】  すなわち、上記特許文献１には、ヘッド部に対してシャフトを倒立可能に枢着し、かつ、シャフトは所要傾斜位置で固定する手段を備え、身長の低い老人でもヘッドが見えるようにし、ゲーム用ボール等を打ち易くしたものが示されている。【０００４】
【特許文献１】  実開平６−８６７６１（図２参照）
【考案の開示】
【考案が解決しようとする課題】
【０００５】  しかしながら、上記のゲートボール用ステックでは、シャフトを所定傾斜位置で固定する手段を備えているので、ヘッドを接地させた状態で自己の好みの傾斜角度に傾斜させた後、その位置に一旦固定してしまうと、さらに傾斜角度の微調整を希望する場合には、シャフトの固定を解いて再び傾斜角度を調整しなければならず、自由度が乏しい難点があった。
また、固定するための構造が複雑で部品点数が多くコスト高となることを免れなかった。
本考案は、上記の点に鑑みてなされたもので、部品点数が少なく構造が簡単で安価に製作できるとともに、プレーヤーの身長、好み等に合わせて自由にシャフトの傾斜角度を変えることができ、きわめて打ち易いゲーム用打球具を提供することを目的とする。
【課題を解決するための手段】
【０００７】  請求項１に記載のゲーム用打球具は、ヘッド部と、このヘッド部に埋め込まれた錘と、このヘッド部に対して傾斜自在に取り付けたシャフト部とを有することを特徴とするものである。このゲーム用打球具は、特にシャフト部のヘッド部に対する傾斜角度を固定することなく、自由な傾斜角度でゲーム用ボール等を打てるようにしたものである。そのため、接地面の凹凸状態、プレーヤーの身長、好み等に応じて自由かつ自然に傾斜角度を変えることができ、換言すれば、無意識のうちに自然にボールを打つのに最適な状態が確保できる。また、ヘッド部への錘の埋め込みにより当該ヘッド部の重量が増し、重心が安定して打球をより遠方に、あるいは的確な位置に飛ばすことができる。【０００８】  請求項２に記載のゲーム用打球具は、前記ヘッド部が丸型チップ状に形成されていることを特徴とするものである。これにより棒状のヘッド部に比較し、ゲーム用ボール、丸型チップ等を打つ場合に、ヘッド部との接触面が点接触ないし線接触状態となり、打球方向が様々に変化して趣向のあるゲームを楽しむことができる。【０００９】  請求項３に記載のゲーム用打球具は、前記ヘッド部が球状に形成されていることを特徴とするものである。これにより打球具の種類も増え、その使い分けにより打球の質にも変化を持たせることができ、ゲームをより趣向のあるものに導くことができる。【００１０】  請求項４に記載のゲーム用打球具は、中心部に凹所を形成した丸型チップ状へッド部と、このヘッド部の凹所底部に埋め込んだ錘と、該凹所内に嵌入させたＵ字状軸受け部材と、この軸受け部材に枢軸を介して枢着されたジョイント部材と、このジョイント部材に固定されたシャフト部とを有することを特徴とするものである。この請求項４に記載された考案は、前記請求項１に記載の考案をより具体化したもので、比較的簡単な構成で傾斜角度自在なゲーム用打球具が実現でき、安価に製作できる。【００１１】  請求項５に記載の考案は、中心部に凹所を形成した球状ヘッド部と、このヘッド部の凹所底部に埋め込んだ錘と、該凹所内に嵌入させた保持部材と、この保持部材に回動自在に保持され球体と、この球体に一端が固定され、その他端が前記保持部材の上部開口から導出されたシャフト部とを有することを特徴とする。この請求項５に記載されたゲーム用打球具は、前記請求項３の記載の考案をより具体化したもので、前記同様に比較的簡単な構成で傾斜角度自在なゲーム用打球具が実現でき、安価に製作できるとともに、これにより打球具の種類も増え、その使い分けにより打球の質にも変化を持たせることができ、ゲームをより趣向のあるものに導くことができる。
【考案の効果】
【００１５】    本考案は上記のように構成したので、概略次のような顕著な効果を奏する。
（１）ゲームグラウンド等の接地面の凹凸、プレーヤーの身長等に追従して自然にヘッド部に対するシャフト部の傾斜角度を変化させることができるため、プレーヤーがゲーム用ボール等を打ち易くより遠方に飛ばすことができるとともに、ゲーム用ボールの飛ばす方向、飛ばす距離等の制御がより容易になり、ゲームに対する興味が一層向上する。
（２）ヘッド部に対するシャフト部傾斜角度固定手段を設けていないので、部品点数が少なく、しかもその構造が複雑にならずシンプルな構造であるため、安価に製作することができる。
【考案を実施するための最良の形態】
【００１６】  本考案のゲーム用打球具は、ヘッド部を接地した状態で左右前後方向、すなわち３６０度方向のいずれの方向にもシャフト部を傾斜させることができるように、ヘッド部に対してシャフト部を、ジョイント部材を介して取り付ける。
【実施例】
【００１７】  以下に、本考案の一実施例を図に基づき詳細に説明する。
図１は、第１実施例を示すゲーム用打球具の一部切欠断面図である。
図において、ゲーム用打球具１は、シャフト部２がジョイント部材３に固定されている。シャフト部２のジョイント部材３への固定方法は特に限定されるものではなくネジ止め、接着等のいずれの方法でも良い。【００１８】  上記のジョイント部材３には透孔４が設けられ、この透孔４には、後述の横軸が挿通される。
上記シャフト部２を固定したジョイント部材３は、Ｕ字状軸受け部材５内に嵌挿され、該軸受け部材５に設けた透孔６ａ，６ｂ間に横軸７を挿通してシャフト部２が紙面の図示前後方向に揺動できる構造にする。
また、図１のＵ字状軸受け部材５の底面に示すように、必要に応じて錘を取り付ける。【００１９】  図２は、シャフト部をヘッド部に固定した状態の本考案のゲーム用打球具の概略を示す断面図である。
すなわち、ヘッド部９の中心部に凹所１０を形成し、この凹所１０にシャフト部を固定したＵ字状軸受け部材５を嵌め込む。この場合に、凹所１０への嵌め込みは寸法公差を考慮して圧入でも良いし、また、適当な接着剤を使用して固定しても良い。
また、シャフト部２及びヘッド部９の材質についても特に限定されるものではないが、安価に製作する上では合成樹脂で形成し、その中に適当な錘８を挿入するようにするのが好ましい。【００２０】  図３ないし図５は、本考案の第２実施例を示すもので、前記のＵ字状軸受け部材の天地を逆にして挿入するようにしたものである。
なお、図中、５１は逆Ｕ字状軸受け部材であり、その他図１及び図２示した構成部分と同一部分には同一符号を付してその詳しい説明は省略する。【００２１】  図６及び図７は、本考案の第３実施例を示すもので、円板状のジョイント部材３０にシャフト部２を固定し、これを軸受け部材６１内に図示左右方向に回動できるように挿入したものである。【００２２】  図８及び図９は、本考案の第４実施例を示すもので、球状のジョイント部材４０にシャフト部２を固定し、前記ジョイント部４０を逆Ｕ字状軸受け部材７１に３６０度回動自在になるように挿入したものである。そして、上記軸受け部材７１を球状のヘッド部９１に埋め込むように構成したものである。【００２３】  図１０は、第５実施例を示すゲーム用打球具１の斜視図である。
このゲーム用打球具１は次の構成から成る。
すなわち、シャフト部２の下端に軸受け部材６２を取り付け、この軸受け部材６２の透孔６３ａ，６３ｂに、駒部材６４の同軸上に設けたＹ軸６６ａ，６６ｂが揺動できるように挿入する。また、駒部材６４には同じく同軸上に設けたＸ軸６５ａ，６５ｂが設けられており、このＸ軸６５ａ，６５ｂはヘッド部６７の軸受け部６８ａ，６８ｂが揺動できるように挿入する。【００２４】  上記の構成により、シャフト２はヘッド部６７に対して、その平面内で３６０度傾斜角度を変化させることができるようになる。したがって、ゲームグラウンド等の接地面の凹凸、プレーヤーの身長等に追従して自然にヘッド部に対するシャフト部の傾斜角度を変化させることができ、プレーヤーがゲーム用ボール等を打ち易くより遠方に飛ばすことができるとともに、ゲーム用ボールの飛ばす方向、飛ばす距離等の制御がより容易になるため、ゲームに対する興味が一層向上する。
【産業上の利用可能性】
【００２５】  第５実施例では、上記の構成により約３６０度傾斜角度を変化させるようにしたが、この傾斜角度を変化させる構成は必ずしもこの構成に限定されるものではなく、要は、Ｘ軸及びＹ軸方向に自由に動くことができるような機構を採用すれば良い。また、シャフト部の長さ調整には、一般に周知の長さ調整のための伸縮機構を採用することもできる。
【図面の簡単な説明】
【００２６】
【図１】本考案の第１実施例を示すゲーム用打球具の一部の切欠断面図である。
【図２】上記第１実施例の断面図である。
【図３】本考案の第２実施例を示すゲーム用打球具の一部の切欠断面図である。
【図４】同じくその側面図である。
【図５】上記第２実施例の断面図である。
【図６】本考案の第３実施例を示すゲーム用打球具の一部の切欠断面図である。
【図７】上記第３実施例の断面図である。
【図８】本考案の第４の実施例を示すゲーム用打球具の一部の切欠断面図である。
【図９】上記第４実施例の断面図である。
【図１０】本考案の第５実施例を示すゲーム用打球具の分解斜視図である。
【００２７】１      ゲーム用打球具
２      シャフト部
３，３０，４０      ジョイント部材
４      透孔
５，５１      Ｕ字状軸受け部材
６ａ，６ｂ      透孔
７      横軸
８      錘
９，９１，９２      ヘッド部
１０      凹所
６１，６２      軸受け部材
６３ａ，６３ｂ      透孔
６４      駒部材
６７      ヘッド部
６８ａ，６８ｂ      軸受け部
【図１】
0003122996.tif 000003
【図２】
0003122996.tif 000004
【図３】
0003122996.tif 000005
【図４】
0003122996.tif 000006
【図５】
0003122996.tif 000007
【図６】
0003122996.tif 000008
【図７】
0003122996.tif 000009
【図８】
0003122996.tif 000010
【図９】
0003122996.tif 000011
【図１０】
0003122996.tif 000012
【手続補正書】
【提出日】平成17年12月22日(2005.12.22)
【手続補正１】
【補正対象書類名】図面
【補正対象項目名】全図
【補正方法】変更
【補正の内容】
【図１】
0003122996.tif 000013
【図２】
0003122996.tif 000014
【図３】
0003122996.tif 000015
【図４】
0003122996.tif 000016
【図５】
0003122996.tif 000017
【図６】
0003122996.tif 000018
【図７】
0003122996.tif 000019
【図８】
0003122996.tif 000020
【図９】
0003122996.tif 000021
【図１０】
0003122996.tif 000022
【手続補正書】
【提出日】平成18年3月31日(2006.3.31)
【手続補正１】
【補正対象書類名】実用新案登録請求の範囲
【補正対象項目名】全文
【補正方法】変更
【補正の内容】
【実用新案登録請求の範囲】
【請求項１】
ヘッド部と、このヘッド部に埋め込まれた錘と、このヘッド部に対して固定手段を有することなく傾斜自在に取り付けたシャフト部とを有することを特徴とするゲーム用打球具。
【請求項２】
前記ヘッド部が丸型チップ状に形成されていることを特徴とする請求項１に記載のゲーム用打球具。
【請求項３】
前記ヘッド部が球状に形成されていることを特徴とする請求項１に記載のゲーム用打球具。
【請求項４】
中心部に凹所を形成した丸型チップ状ヘッド部と、このヘッド部の凹所底部に埋め込んだ錘と、該凹所内に嵌入させたＵ字状軸受け部材と、この軸受け部材に枢軸を介して枢着されたジョイント部材と、このジョイント部材に固定されたシャフト部とを有することを特徴とする請求項１に記載のゲーム用打球具。
【請求項５】
中心部に凹所を形成した球状ヘッド部と、このヘッド部の凹所底部に埋め込んだ錘と、該凹所内に嵌入させた保持部材と、この保持部材に回動自在に保持された球体と、この球体に一端が固定され、その他端が前記保持部材の上部開口から導出されたシャフト部とを有することを特徴とする請求項１に記載のゲーム用打球具。